(57)【特許請求の範囲】
【請求項１】
印刷データに基づいて所定の画像形成装置によって画像形成された所定の印刷媒体について、画像形成された面を内側にして筒状に巻く処理を施す後処理手段と、
該後処理手段で筒状に巻かれた印刷媒体の表側の終端部に封緘部材を貼付する貼付手段と、
前記封緘部材に付される所定の情報に基づいて、前記印刷データまたは前記印刷媒体に関する情報を識別する識別手段とを備え、
前記画像形成装置は、前記印刷媒体の先端側または後端側の少なくとも一方に所定の長さの余白部またはベタ塗部を形成して前記画像形成を行い、
前記所定の長さは、前記後処理手段によって筒状に巻かれた前記印刷媒体の内径円周または外径円周に相当する長さである、
ことを特徴とする画像形成装置の後処理システム。
【請求項２】
前記所定の情報は、前記封緘部材の表面に予め印刷される識別符号であることを特徴とする請求項１に記載の画像形成装置の後処理システム。
【請求項３】
前記所定の情報は、前記画像形成装置によって前記封緘部材の表面に画像形成される識別符号であることを特徴とする請求項１に記載の画像形成装置の後処理システム。
【請求項４】
前記識別符号は、前記封緘部材毎に一意に決定される乱数または通し番号に基づいた所定の文字列の何れかを含むことを特徴とする請求項２または請求項３の何れかに記載の画像形成装置の後処理システム。
【請求項５】
前記識別符号は、前記印刷データと関連付けされていることを特徴とする請求項２から請求項４の何れかに記載の画像形成装置の後処理システム。
【請求項６】
前記識別符号は、バーコードで形成され、
前記識別手段は、前記バーコードを読み取るバーコード読取手段を含むことを特徴とする請求項２から請求項５の何れかに記載の画像形成装置の後処理システム。
【請求項７】
前記識別符号は、前記印刷媒体に付されるＲＦＩＤ（Ｒａｄｉｏ  Ｆｒｅｑｕｅｎｃｙ  Ｉｄｅｎｔｉｆｉｃａｔｉｏｎ）に記録され、
前記識別手段は、前記ＲＦＩＤと通信して記録内容を読み取るＲＦＩＤ読取手段を含むことを特徴とする請求項２から請求項６の何れかに記載の画像形成装置の後処理システム。
【請求項８】
前記識別手段は、前記画像形成された所定の印刷媒体の受領者を識別するＩＤコード、パスワード、磁気カード、ＩＣカード、生体情報の少なくとも一つの照合手段を備えることを特徴とする請求項１から請求項７の何れかに記載の画像形成装置の後処理システム。
【請求項９】
前記封緘部材が貼付された前記印刷媒体について、前記画像形成装置によって前記封緘部材を含む範囲に、当該封緘部材が剥離された場合の形跡を残す封緘印刷を施すことを特徴とする請求項１から請求項８の何れかに記載の画像形成装置の後処理システム。
【請求項１０】
前記画像形成装置は、プロッタであることを特徴とする請求項１から請求項９の何れかに記載の画像形成装置の後処理システム。
【請求項１１】
印刷データに基づいて所定の画像形成装置によって画像形成された所定の印刷媒体について、画像形成された面を内側にして筒状に巻く処理を施す後処理過程と、
該後処理過程で筒状に巻かれた印刷媒体の表側の終端部に封緘部材を貼付する貼付過程と、
前記封緘部材に付される所定の情報に基づいて、前記印刷データまたは前記印刷媒体に関する情報を識別する識別過程とを演算手段に実行させ、
前記画像形成装置は、前記印刷媒体の先端側または後端側の少なくとも一方に所定の長さの余白部またはベタ塗部を形成して前記画像形成を行い、
前記所定の長さは、前記後処理過程によって筒状に巻かれた前記印刷媒体の内径円周または外径円周に相当する長さである、
ことを特徴とする画像形成装置の後処理プログラム。
【発明の詳細な説明】
【技術分野】
【０００１】
本発明は、画像形成装置の後処理システムおよび後処理プログラムに関するものである。
【背景技術】
【０００２】
従来から画像形成装置の一種としてのプロッタの後処理装置として、出力した用紙（印刷媒体）を筒状に巻く処理を施して、筒状の用紙がほどけないように封緘紙（封緘部材）等を用いて係止する巻紙装置（べーラ）が存在する。
【０００３】
巻紙装置を使用せずに、用紙をシート状で出力した場合には、広幅長尺のプロット出力の場合などには、用紙を取り出すときの扱いを慎重にしないと用紙に皺ができたり、折れたり、破れるなどの不具合が発生し、出力した用紙を傷めてしまう虞があった。
【０００４】
巻紙装置によって用紙を筒状にした場合には、筒状のため構造的にも丈夫となって皺や折れ、破れなどが起こり難くなり、取り扱いが容易となるという利点がある。
【０００５】
巻紙手段に関連する技術としては、特開平６−８０２９６号公報に開示の「画像形成装置の記録紙処理装置」や、特開２００６−１０３０７８号公報に開示の「プリンタ排出紙収納装置」などが挙げられる。
【０００６】
しかし、従来の巻紙装置では、筒状態で排紙されるため、排紙装置にストックされた用紙が誰によって出力されたものか確認するために、筒状に処理した出力用紙の封緘紙を剥がして、用紙を広げてプロットした結果を確認しなければならないという不都合があった。また、シート状に用紙を広げる際に用紙を傷める虞があり、また、印刷内容を確認する際に第三者に覗き見される危険性もあった。
【特許文献１】特開平６−８０２９６号公報
【特許文献２】特開２００６−１０３０７８号公報
【発明の開示】
【発明が解決しようとする課題】
【０００７】
本発明は、筒状に処理した印刷媒体に関する情報を容易に識別することができ、セキュリティ性や利便性を向上させることのできる画像形成装置の後処理システムおよび後処理プログラムを提供することを目的とする。
【課題を解決するための手段】
【０００８】
前記課題を解決するため、請求項１の発明に係る画像形成装置の後処理システムは、印刷データに基づいて所定の画像形成装置によって画像形成された所定の印刷媒体について、画像形成された面を内側にして筒状に巻く処理を施す後処理手段と、該後処理手段で筒状に巻かれた印刷媒体の表側の終端部に封緘部材を貼付する貼付手段と、前記封緘部材に付される所定の情報に基づいて、前記印刷データまたは前記印刷媒体に関する情報を識別する識別手段とを備え、前記画像形成装置は、前記印刷媒体の先端側または後端側の少なくとも一方に所定の長さの余白部またはベタ塗部を形成して前記画像形成を行い、前記所定の長さは、前記後処理手段によって筒状に巻かれた前記印刷媒体の内径円周または外径円周に相当する長さである、ことを特徴とする。
【０００９】
請求項２の発明に係る画像形成装置の後処理システムは、前記所定の情報は、前記封緘部材の表面に予め印刷される識別符号であることを特徴とする。
【００１０】
請求項３の発明に係る画像形成装置の後処理システムは、前記所定の情報は、前記画像形成装置によって前記封緘部材の表面に画像形成される識別符号であることを特徴とする。
【００１１】
請求項４の発明に係る画像形成装置の後処理システムは、前記識別符号は、前記封緘部材毎に一意に決定される乱数または通し番号に基づいた所定の文字列の何れかを含むことを特徴とする。
【００１２】
請求項５の発明に係る画像形成装置の後処理システムは、前記識別符号は、前記印刷データと関連付けされていることを特徴とする。
【００１３】
請求項６の発明に係る画像形成装置の後処理システムは、前記識別符号は、バーコードで形成され、前記識別手段は、前記バーコードを読み取るバーコード読取手段を含むことを特徴とする。
【００１４】
請求項７の発明に係る画像形成装置の後処理システムは、前記識別符号は、前記印刷媒体に付されるＲＦＩＤ（Ｒａｄｉｏ  Ｆｒｅｑｕｅｎｃｙ  Ｉｄｅｎｔｉｆｉｃａｔｉｏｎ）に記録され、前記識別手段は、前記ＲＦＩＤと通信して記録内容を読み取るＲＦＩＤ読取手段を含むことを特徴とする。
【００１５】
請求項８の発明に係る画像形成装置の後処理システムは、前記識別手段は、前記画像形成された所定の印刷媒体の受領者を識別するＩＤコード、パスワード、磁気カード、ＩＣカード、生体情報の少なくとも一つの照合手段を備えることを特徴とする。
【００１６】
請求項９の発明に係る画像形成装置の後処理システムは、前記封緘部材が貼付された前記印刷媒体について、前記画像形成装置によって前記封緘部材を含む範囲に、当該封緘部材が剥離された場合の形跡を残す封緘印刷を施すことを特徴とする。
【００１９】
請求項１０の発明に係る画像形成装置の後処理システムは、前記画像形成装置は、プロッタであることを特徴とする。
【００２０】
請求項１１の発明に係る画像形成装置の後処理プログラムは、印刷データに基づいて所定の画像形成装置によって画像形成された所定の印刷媒体について、画像形成された面を内側にして筒状に巻く処理を施す後処理過程と、該後処理過程で筒状に巻かれた印刷媒体の表側の終端部に封緘部材を貼付する貼付過程と、前記封緘部材に付される所定の情報に基づいて、前記印刷データまたは前記印刷媒体に関する情報を識別する識別過程とを演算手段に実行させ、前記画像形成装置は、前記印刷媒体の先端側または後端側の少なくとも一方に所定の長さの余白部またはベタ塗部を形成して前記画像形成を行い、前記所定の長さは、前記後処理過程によって筒状に巻かれた前記印刷媒体の内径円周または外径円周に相当する長さである、ことを特徴とする。
【発明の効果】
【００２１】
本発明によれば以下の効果を奏することができる。
【００２２】
すなわち、請求項１に記載の発明によれば、本構成を有していない場合に比較して、封緘部材に付される所定の情報に基づいて、印刷データまたは印刷媒体に関する情報を識別するので、筒状に処理した印刷媒体を広げることなく、印刷媒体に関する情報を容易に識別することができ、セキュリティ性を向上させることができる。
また、請求項１に記載の発明によれば、本構成を有していない場合に比較して、印刷媒体の先端側または後端側の少なくとも一方に所定の長さの余白部またはベタ塗部を形成しているので、印刷媒体を巻いた状態において表面あるいは筒状の内側から画像形成の内容を判読される事態を抑制することができ、セキュリティ性を一層高めることができる。
さらに、請求項１に記載の発明によれば、本構成を有していない場合に比較して、所定の長さは、後処理手段によって筒状に巻かれた印刷媒体の内径円周または外径円周に相当する長さとしているので、画像形成の内容を判読される事態をより効果的に抑制することができ、セキュリティ性を一層高めることができる。
【００２３】
請求項２に記載の発明によれば、本構成を有していない場合に比較して、所定の情報は、封緘部材の表面に予め印刷される識別符号であるので、システム構成を複雑化することなく、印刷媒体に関する情報を容易に識別することができ、低コストでセキュリティ性を向上させることができる。
【００２４】
請求項３に記載の発明によれば、本構成を有していない場合に比較して、記所定の情報は、画像形成装置によって封緘部材の表面に画像形成される識別符号であるので、必要に応じて印刷媒体に関する情報を容易に識別することができ、セキュリティ性を向上させることができる。
【００２５】
請求項４に記載の発明によれば、本構成を有していない場合に比較して、識別符号は、封緘部材毎に一意に決定される乱数または通し番号に基づいた所定の文字列の何れかを含んでいるので、セキュリティ性を一層向上させることができる。
【００２６】
請求項５に記載の発明によれば、本構成を有していない場合に比較して、識別符号は、印刷データと関連付けされているので、印刷データの作成者や秘匿性等に応じて印刷媒体に関する情報を容易に識別させることができ、セキュリティ性を向上させることができる。
【００２７】
請求項６に記載の発明によれば、本構成を有していない場合に比較して、記識別符号は、バーコードで形成され、識別手段は、前記バーコードを読み取るバーコード読取手段を含んでいるので、印刷媒体に関する情報を一層容易に識別させることができ、利便性とセキュリティ性を向上させることができる。
【００２８】
請求項７に記載の発明によれば、本構成を有していない場合に比較して、前記識別符号は、印刷媒体に付されるＲＦＩＤに記録され、識別手段は、ＲＦＩＤと通信して記録内容を読み取るＲＦＩＤ読取手段を含んでいるので、印刷媒体に関する情報を一層容易に識別させることができ、利便性とセキュリティ性を向上させることができる。
【００２９】
請求項８に記載の発明によれば、本構成を有していない場合に比較して、識別手段は、画像形成された所定の印刷媒体の受領者を識別するＩＤコード、パスワード、磁気カード、ＩＣカード、生体情報の少なくとも一つの照合手段を備えているので、受領者のなりすまし等の不正行為を抑制することができ、画像形成された印刷媒体を受領する際のセキュリティ性を一層高めることができる。
【００３０】
請求項９に記載の発明によれば、本構成を有していない場合に比較して、封緘部材が剥離された場合の形跡を残す封緘印刷を施しているので、画像形成された印刷媒体を不正に開く行為を抑制することができ、セキュリティ性を一層高めることができる。
【００３３】
請求項１０に記載の発明によれば、本構成を有していない場合に比較して、画像形成装置はプロッタであるので、広幅長尺のプロット出力について、印刷媒体に関する情報を容易に識別することができ、利便性やセキュリティ性を向上させることができる。
【００３４】
請求項１１に記載の発明によれば、本構成を有していない場合に比較して、封緘部材に付される所定の情報に基づいて、印刷データまたは印刷媒体に関する情報を識別するので、筒状に処理した印刷媒体を広げることなく、印刷媒体に関する情報を容易に識別することができ、セキュリティ性を向上させることができる。
また、請求項１１に記載の発明によれば、本構成を有していない場合に比較して、印刷媒体の先端側または後端側の少なくとも一方に所定の長さの余白部またはベタ塗部を形成しているので、印刷媒体を巻いた状態において表面あるいは筒状の内側から画像形成の内容を判読される事態を抑制することができ、セキュリティ性を一層高めることができる。
さらに、請求項１１に記載の発明によれば、本構成を有していない場合に比較して、所定の長さは、後処理手段によって筒状に巻かれた印刷媒体の内径円周または外径円周に相当する長さとしているので、画像形成の内容を判読される事態をより効果的に抑制することができ、セキュリティ性を一層高めることができる。
【発明を実施するための最良の形態】
【００３５】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００３６】
（第１の実施の形態）
【００３７】
図１から図５を参照して、本発明についての第１の実施の形態に係る画像形成装置の後処理システムＳ１について説明する。
【００３８】
図１は、画像形成装置の後処理システムＳ１の構成を示すブロック図である。
【００３９】
図１に示すように、画像形成装置の後処理システムＳ１は、ＬＡＮやＵＳＢ接続等のネットワークＮを介して、画像処理装置の一種としてのプロッタ２００と、パーソナルコンピュータ等で構成されるホストコンピュータ１００、端末装置３００とが接続されて構成されている。
【００４０】
なお、本実施の形態では、プロッタ２００、ホストコンピュータ１００、端末装置３００がともに１台ずつ接続されている場合を示しているが、これには限定されずそれぞれ２台以上を接続してもよいし、その他にネットワーク機能を有する画像入力装置（スキャナ等）などを接続してもよい。
【００４１】
ホストコンピュータ１００は、プロットデータを生成して、プロッタ２００へ転送する役割を果たすものである。
【００４２】
プロッタ２００は、画像イメージ形成装置２１０と、画像印刷装置２２０と、後処理手段としての紙巻装置２３０と、封緘紙（封緘部材）貼付装置２４０と、ハードディスク等の記憶装置２５０とから構成されている。
【００４３】
画像イメージ形成装置２１０は、ホストコンピュータ１００から転送されたプロットデータに基づいて、画像印刷装置２２０で描画可能な画像イメージデータを形成する。
【００４４】
画像印刷装置２２０は、画像イメージデータを印刷媒体（例えば印刷用紙）Ｐへ印刷し、印刷が終了した印刷媒体Ｐを紙巻装置２３０へ渡す。
【００４５】
紙巻装置２３０は、印刷媒体Ｐを巻いて筒状の巻紙６００を作成する。
【００４６】
封緘紙貼付装置２４０は、巻紙６００の表側の終端部６００ａに封緘紙５００（図２参照）を貼付するとともに、貼付した封緘紙５００の印刷情報を封緘紙印刷情報管理装置（識別手段）２１３へ伝える。
【００４７】
ここで、封緘紙５００は、特には限定されないが、図２に示すように、テープ状の剥離シート５０１上にシール状の封緘紙５００が剥離可能に所定間隔で添付されたものなどが用いられ、所定のタイミングで剥離シート５０１から封緘紙５００を剥離して、巻紙６００の表側の終端部６００ａに貼付される（図１参照）。
【００４８】
また、画像イメージ形成装置２１０は、入力処理装置２１１と、画像処理装置２１２と、封緘紙印刷情報管理装置２１３と、イメージ出力装置２１４とから構成されている。
【００４９】
入力処理装置２１１は、外部からプロットデータを受け取り、画像処理装置２１２へプロットデータを受け渡すと共に、画像処理の開始を指示する。
【００５０】
画像処理装置２１２は、プロットデータに基づいて画像イメージを生成し、プロットデータの処理が全て完了すると、イメージ出力装置２１４に通知する。
【００５１】
封緘紙印刷情報管理装置２１３は、画像処理装置２１２から画像イメージの指示情報と、画像イメージを生成したという情報、封緘紙貼付装置２４０から封緘紙５００の印刷情報を受けて、画像イメージの印刷指示情報と共に記録する。
【００５２】
また、封緘紙５００に印刷されている情報とユーザ情報についての端末装置３００からの問い合わせに対して、印刷指示したユーザと問い合わせのユーザが一致しているかを返答する。
【００５３】
なお、封緘紙印刷情報管理装置２１３は、印刷指示したユーザと問い合わせのユーザが一致しているかを返答する代わりに、端末装置３００から、ユーザ情報の問い合わせに受けて、封緘紙５００に印刷されている印刷情報を返答するように構成しても良いし、封緘紙５００に印刷されている情報の問い合わせを受けて、印刷指示者の情報を返答するように構成しても良い。
【００５４】
イメージ出力装置２１４は、画像イメージを、画像印刷装置２２０へ出力する。
【００５５】
端末装置３００は、入力されたユーザ情報および封緘紙５００に印刷された情報を、封緘紙印刷情報管理装置２１３に問い合わせ、その結果を表示する役割を果たす。
【００５６】
封緘紙５００への情報（識別符号）の記録の仕方は、特には限定されないが、例えば封緘紙５００毎に一意に決定される乱数または通し番号に基づいた所定の文字列の何れかを予め印刷しておくようにできる。
【００５７】
また、情報（識別符号）は、ホストコンピュータ１００で作成されるプロットデータ（印刷データ）と関連付けされるようにしてもよい。
【００５８】
また、情報（識別符号）をバーコードで形成し、端末装置３００にそのバーコードを読み取るバーコード読取手段（バーコードリーダ）を設けるようにしてもよい。
【００５９】
さらに、封緘紙５００に情報を印刷するのに代えて、情報（識別符号）を記録したＲＦＩＤ（Ｒａｄｉｏ  Ｆｒｅｑｕｅｎｃｙ  Ｉｄｅｎｔｉｆｉｃａｔｉｏｎ）を封緘紙５００に埋め込むなどして設け、端末装置３００にそのＲＦＩＤから情報を読み取るＲＦＩＤ読取手段（ＲＦＩＤリーダ）を設けるようにしてもよい。
【００６０】
また、端末装置３００または封緘紙印刷情報管理装置２１３は、巻紙６００の受領者を識別するＩＤコード、パスワード、磁気カード、ＩＣカード、生体情報の少なくとも一つの照合装置（照合手段）を備えるようにしてもよい。
【００６１】
次に、図３のフローチャートを参照して、上記構成の画像形成装置の後処理システムＳ１で実行される印刷処理の処理手順について説明する。
【００６２】
ステップＳ１００では、プロットデータを入力してステップＳ１０１に移行し、ステップＳ１０１で描画処理を行う。
【００６３】
ステップＳ１０２では、出力指示者情報の取得と記録を行ってステップＳ１０３に移行し、印刷媒体としての用紙の巻紙処理を行ってステップＳ１０４に移行する。
【００６４】
ステップＳ１０４では、封緘紙５００に記録された情報の取得と記録を行い、ステップＳ１０５で封緘紙５００を巻紙６００の表側の終端部６００ａに貼付して処理を終了する。
【００６５】
次に、図４のフローチャートを参照して、画像形成装置の後処理システムＳ１で実行される封緘紙情報の照会処理の処理手順について説明する。
【００６６】
まず、ステップＳ２００で端末装置３００の操作者の認証を行って、ステップＳ２０１に移行する。
【００６７】
ステップＳ２０１では、操作者が正しく認証されたか否かが判定され、「Ｎｏ」の場合にはそのまま処理を終了し、「Ｙｅｓ」の場合にはステップＳ２０２に移行する。
【００６８】
ステップＳ２０２では、封緘紙５００に記録されている情報を入力してステップＳ２０３に移行する。
【００６９】
ステップＳ２０３では、端末装置３００の操作者と出力指示者とが同一人物か否かが判定され、「Ｎｏ」の場合には端末装置３００に「不一致」を表示して処理を終了し、「Ｙｅｓ」の場合には端末装置３００に「一致」を表示して処理を終了する。
【００７０】
次に、図５のフローチャートを参照して、画像形成装置の後処理システムＳ１で実行される封緘紙情報の一覧照会処理（複数の封緘紙５００についての照会処理）の処理手順について説明する。
【００７１】
まず、ステップＳ３００で端末装置３００の操作者の認証を行って、ステップＳ３０１に移行する。
【００７２】
ステップＳ３０１では、操作者が正しく認証されたか否かが判定され、「Ｎｏ」の場合にはそのまま処理を終了し、「Ｙｅｓ」の場合にはステップＳ３０２に移行する。
【００７３】
ステップＳ３０２では、封緘紙５００に記録されている情報を入力してステップＳ３０３に移行する。
【００７４】
ステップＳ３０３では、封緘紙情報は終わりか否かが判定され、「Ｙｅｓ」の場合には処理を終了し、「Ｎｏ」の場合にはステップＳ３０４に移行して出力指示者を検索してステップＳ３０５に進む。
【００７５】
ステップＳ３０５では、端末装置３００の操作者と出力指示者とが同一人物か否かが判定され、「Ｎｏ」の場合にはステップＳ３０７に移行し、「Ｙｅｓ」の場合にはステップＳ３０６に移行する。
【００７６】
ステップＳ３０６では、端末装置３００に封緘紙５００に記録されている情報を表示してステップＳ３０７に移行する。
【００７７】
ステップＳ３０７では、次の封緘紙情報を取得してステップＳ３０３に戻る。
【００７８】
このように、端末装置３００の操作者と出力指示者とが同一人物の場合に、封緘紙５００に記録されている情報を閲覧することができるのでセキュリティ性を高めることができる。
【００７９】
また、閲覧した情報に基づいて、その封緘紙５００が貼付された巻紙６００（印刷媒体Ｐ）が出力指示者のものであるか否かが分かるので、従来のように封緘紙５００を剥離して巻紙６００の印刷内容を確認する必要がなくなり、利便性やセキュリティ性を一層高めることができると共に、巻紙６００自体を開くことによる傷みをなくすことができる。
【００８０】
（第２の実施の形態）
【００８１】
図６を参照して、本発明についての第２の実施の形態に係る画像形成装置の後処理システムＳ２について説明する。
【００８２】
図６は、画像形成装置の後処理システムＳ２の構成を示すブロック図である。
【００８３】
画像形成装置の後処理システムＳ２の構成は、前述の画像形成装置の後処理システムＳ１と殆ど同じであるので、共通部分については同一符号を付して説明は省略する。
【００８４】
両者が異なる点は、画像形成装置の後処理システムＳ２のプロッタ２００が封緘紙印刷装置７００を備えている点である。
【００８５】
この封緘紙印刷装置７００は、封緘紙印刷情報管理装置２１３からの封緘紙印刷指示を受けて、巻紙装置２３０で処理された巻紙６００について封緘紙貼付装置２４０によって貼付された封緘紙５００の表面に所定の封緘紙情報を印刷する。
【００８６】
これにより、第１の実施の形態のように封緘紙５００に予め情報を印刷しておく必要がなくなり、また使用状況に応じて所望の封緘紙情報を印刷することができるので、自由度が高まり利便性を向上させることができる。
【００８７】
また、封緘紙印刷装置７００によって封緘紙５００を含む範囲に、その封緘紙５００が巻紙６００から剥離された場合の形跡を残す封緘マーク（封緘印刷）８００を施すようにしてもよい。
【００８８】
この場合には、プロット出力した巻紙６００の封緘紙５００が正規の受領者以外の第三者によって剥がされて印刷内容を見られたような場合に、封緘マークのズレ等による形跡で確認することができる。これにより、第三者による盗み見等の不正行為を抑制することができ、セキュリティ性を向上させることができる。
【００８９】
なお、本実施の形態では、巻紙６００に貼付された後の封緘紙５００に所定の情報を印刷する場合について述べたが、これに限らず、貼付する前の封緘紙５００に所定の情報を印刷し、その後に巻紙６００に貼付するようにしてもよい。
【００９０】
次に、図７から図１０を参照して、第１の実施の形態および第２の実施の形態に係る画像形成装置の後処理システムＳ１、Ｓ２に適用可能な巻紙装置２３０の制御方法について述べる。
【００９１】
図７に示すように、巻紙装置２３０は、例えば半径Ｒの円周に沿って配置される複数のローラで構成されるローラ群９００を備え、搬送ローラ９０１によって矢印Ａ方向に印刷媒体（用紙）Ｐを搬送することにより、印刷媒体（用紙）Ｐをほぼ半径Ｒの筒状に巻いて巻紙を形成するようになっている。
【００９２】
ここで、印刷媒体（用紙）Ｐの先端側または後端側の少なくとも一方に所定の長さの余白部またはベタ塗部を形成することにより、印刷媒体（用紙）Ｐを巻いた状態において表面あるいは筒状の内側からプロット内容を判読される事態を抑制することができ、セキュリティ性を一層高めることができる。
【００９３】
特には限定されないが、例えば図８に示すように、後端側余白部分（あるいはベタ塗部分）Ｐ１ａの長さを２πＲ（巻紙６００の外径円周）以上とすることにより、当該後端側余白部分Ｐ１ａで巻紙６００の外周を覆うことができ、表面からプロット内容を判読される事態を抑制することができる。
【００９４】
また、図９、図１０に示すように、長さＬの印刷媒体（プロットされた部分）Ｐの先端側に長さ２πｒ（図１０に示すように巻紙６００の内径円周に相当）の先端側余白部分（あるいはベタ塗部分）以上のＰ１ｂと、後端側に長さ２πＲ（図１０に示すように巻紙６００の外径円周に相当）以上の後端側余白部分（あるいはベタ塗部分）Ｐ１ａとを設けるようにしてもよい。
【００９５】
これにより、巻紙６００の表面側および筒状の内側からプロット内容を判読される事態を抑制することができ、セキュリティ性を一層向上させることができる。
【００９６】
余白部分Ｐ１ａ，Ｐ２ｂを付加した場合には、後で、元のサイズ（図９では長さＬのサイズ）に容易に切断できるように、本来のプロットサイズを示すマーク（切り取り線等）を印刷しておくようにしてもよい。
【００９７】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【００９８】
例えば、第２の実施の形態において、封緘紙５００に印刷する情報として、印刷指示者の氏名やＩＤなどの印刷指示者を特定する情報を印刷することによって、出力指示を行ったユーザが端末装置３００を使用しなくても出力された巻紙を特定できるようにしてもよい。
【００９９】
また、第２の実施の形態において、封緘紙５００に印刷する情報として、印刷指示者の氏名やＩＤなどの印刷指示者を特定可能な情報を含まないようにして印刷することで、出力指示を行ったユーザが他人から特定できないようにしてもよい。
【０１００】
また、本実施の形態では、後処理装置として巻紙装置２３０を用いた場合について述べたが、印刷媒体（用紙）の後処理した結果、印刷面が見えなくなったり、見えにくくなったりするような後処理装置（紙折装置など）についても同様に適用可能である。
【０１０１】
また、プログラムを用いる場合には、ネットワークを介して提供し、或いはＣＤ−ＲＯＭ等の印刷媒体に格納して提供することが可能である。
【産業上の利用可能性】
【０１０２】
本発明による画像形成装置の後処理システムおよび後処理プログラムは、プロッタ、レーザプリンタ、フルカラープリンタ、複合機、インクジェット方式のプリンタ、ファクシミリ装置等に適用することができる。
【図面の簡単な説明】
【０１０３】
【図１】第１の実施の形態に係る画像形成装置の後処理システムＳ１の構成を示すブロック図である。
【図２】封緘紙の構成例を示す説明図である。
【図３】印刷処理の処理手順を示すフローチャートである。
【図４】封緘紙情報の照合処理の処理手順を示すフローチャートである。
【図５】封緘紙情報の一覧照合処理の処理手順を示すフローチャートである。
【図６】第２の実施の形態に係る画像形成装置の後処理システムＳ２の構成を示すブロック図である。
【図７】巻紙装置の概要を示す側面図である。
【図８】後端側余白部分を示す説明図である。
【図９】先端側余白部分および後端側余白部分を示す説明図である。
【図１０】先端側余白部分および後端側余白部分を示す説明図である。
【符号の説明】
【０１０４】
１００  ホストコンピュータ
２００  プロッタ（画像形成装置）
２１０  画像イメージ形成装置
２１１  入力処理装置
２１２  画像処理装置
２１３  封緘紙印刷情報管理装置（識別手段）
２１４  イメージ出力装置
２２０  画像印刷装置
２３０  紙巻装置
２３０  巻紙装置（後処理手段）
２４０  貼付装置
２４０  封緘紙貼付装置（貼付手段）
２５０  記憶装置
３００  端末装置（識別手段）
５００  封緘紙（封緘部材）
５０１  剥離シート
６００  巻紙
６００ａ  終端部
７００  封緘紙印刷装置
Ｐ  印刷媒体（印刷用紙）
Ｐ１ａ  後端側余白部分
Ｐ１ｂ  先端側余白部分
９００  ローラ群
９０１  搬送ローラ
【図１】
0005223346.tif 000002
【図２】
0005223346.tif 000003
【図３】
0005223346.tif 000004
【図４】
0005223346.tif 000005
【図５】
0005223346.tif 000006
【図６】
0005223346.tif 000007
【図７】
0005223346.tif 000008
【図８】
0005223346.tif 000009
【図９】
0005223346.tif 000010
【図１０】
0005223346.tif 000011